(57)【要約】【課題】光学補償素子に外部から熱や力が伝達することを防止し、投射画面に輝度ムラが生じることを防止できる液晶表示ユニットを提供する【解決手段】液晶表示ユニット３０Ｂは、光を変調する液晶パネル３１と、遮光板３４と、光学補償素子３５と、光学補償素子ホルダ３６とを備えている。  遮光板３４は、液晶パネル３１の有効画素領域Ｒ外に光Ｌが入射しないように規制する。光学補償素子３５は、液晶パネル３１及び遮光板３４における光Ｌの入射側に配置される。光学補償素子ホルダ３６は、光学補償素子３５を遮光板３４に対して間隔を空け、かつ他の部材に接触させずに保持する。【選択図】図４
2013054145.tif 000002
【特許請求の範囲】
【請求項１】
光を変調する液晶パネルと、
前記液晶パネルの有効画素領域外に光が入射しないように規制する遮光板と、
前記液晶パネル及び前記遮光板における前記光の入射側に配置される光学補償素子と、
前記光学補償素子を前記遮光板に対して間隔を空け、かつ他の部材に接触させずに保持する光学補償素子ホルダと、
を備える液晶表示ユニット。
【請求項２】
前記遮光板は、開口窓を有する主面部と、前記主面部よりも前記液晶パネルから離反した位置に配置されて前記主面部を支持する段差面部とを有し、
前記光学補償素子ホルダは、前記光学補償素子を保持する保持部と、前記主面部よりも前記液晶パネルから離反した位置に配置されて前記保持部を支持する支持片と、を有する
請求項１に記載の液晶表示ユニット。
【請求項３】
前記光学補償素子における前記光の入射側にプレ遮光板を設け、
前記光学補償素子ホルダは、前記プレ遮光板と前記遮光板によって形成される空間内に前記光学補償素子を宙吊り状態で保持する
請求項１に記載の液晶表示ユニット。
【請求項４】
前記液晶パネルの周囲に配置されて、前記遮光板を支持するパネルカバーと、
前記プレ遮光板を支持するプレ遮光板ホルダと、を設け、
前記遮光板は、前記パネルカバーと前記プレ遮光板に挟持される
請求項３に記載の液晶表示ユニット。
【請求項５】
前記プレ遮光板ホルダには、前記光学補償素子を保持した前記光学補償素子ホルダが隙間を空けて収まるプレ開口部が設けられている
請求項４に記載の液晶表示ユニット。
【請求項６】
前記光学補償素子よりも大きく開口した開口部を有するパッキンを前記プレ遮光板と前記プレ遮光板ホルダとの間に設けた
請求項４に記載の液晶表示ユニット。
【請求項７】
前記光学補償素子ホルダは、前記光学補償素子を光軸回りに回転させるレバーを有する
請求項１に記載の液晶表示ユニット。
【請求項８】
光を出射する光源と、
前記光源から出射された前記光を変調する液晶表示ユニットと、を備え、
前記液晶表示ユニットは、
前記光を変調する液晶パネルと、
前記液晶パネルの有効画素領域外に前記光が入射しないように規制する遮光板と、
前記液晶パネル及び前記遮光板における前記光の入射側に配置される光学補償素子と、
前記光学補償素子を前記遮光板に対して間隔を空け、かつ他の部材に接触させずに保持する光学補償素子ホルダと、
を備える投射型表示装置。
【発明の詳細な説明】
【技術分野】
【０００１】
本開示は、光を画像情報に対応した光に変調する液晶表示ユニット及びこの液晶表示ユニットを備えた投射型表示装置に関する。
【背景技術】
【０００２】
液晶プロジェクタやＣＲＴプロジェクタ等の投射型表示装置は、光源と、その光源からの光を変調する液晶表示ユニットを有している。液晶表示ユニットには、光を画像情報に対応した光に変調する液晶パネルと、光の位相や偏光状態を整える光学補償素子が設けられている。また、液晶表示ユニットは、液晶パネルの有効画素領域外に光が入射しないように光を規制する遮光板を有している。
【０００３】
しかしながら、投射に寄与しない不要光によって遮光板の温度が上昇する。そこで、特許文献１に記載されているように、液晶パネルの有効画素領域外の光だけでなく、投射に寄与しない不要光を遮光するために、複数の遮光板を設けた液晶表示ユニットが提案されている。
【先行技術文献】
【特許文献】
【０００４】
【特許文献１】特開２００７−１０８７３５号公報
【発明の概要】
【発明が解決しようとする課題】
【０００５】
しかしながら、特許文献１に記載された技術では、第１の遮光板、第２の遮光板及びパッキン等の全ての部材が略平板状に形成されており、光学補償素子も含めて全ての部材を重ね合わせて構成されていた。よって、遮光板やパッキンは、光学補償素子である偏光板に面接触していた。そのため、第１の遮光板及び第２の遮光板やパッキンの熱が光学補償素子に伝達していた。
【０００６】
さらに、光学補償素子には、防塵対策のためのパッキンが密着している。そのため、パッキンを固定する際に生じる力が光学補償素子に加わっていた。したがって、特許文献１に記載された技術を用いて高コンストラスト化を実現しようとすると、従来は問題にならなかった熱や力が光学補償素子に伝達することで、光学補償素子に歪みが生じるおそれがあった。その結果、光学補償素子が複屈折を起こし、投射画面に輝度ムラが生じていた。
【０００７】
上述の点を鑑みて、本技術は、光学補償素子に外部から熱や力が伝達することを防止し、投射画面に輝度ムラが生じることを防止できる液晶表示ユニット及び投射型表示装置を提供することを目的とする。
【課題を解決するための手段】
【０００８】
本開示の液晶表示ユニットは、光を変調する液晶パネルと、遮光板と、光学補償素子と、光学補償素子ホルダとを備えている。
遮光板は、液晶パネルの有効画素領域外に光が入射しないように規制する。光学補償素子は、液晶パネル及び遮光板における光の入射側に配置される。光学補償素子ホルダは、光学補償素子を遮光板に対して間隔を空け、かつ他の部材に接触させずに保持する。
【０００９】
また、本開示の投射型表示装置は、光を出射する光源と、光源から出射された光を変調する液晶表示ユニットと、を備えている。
液晶表示ユニットは、光を変調する液晶パネルと、遮光板と、光学補償素子と、光学補償素子ホルダとを備えている。
遮光板は、液晶パネルの有効画素領域外に光が入射しないように規制する。光学補償素子は、液晶パネル及び遮光板における光の入射側に配置される。光学補償素子ホルダは、光学補償素子を遮光板に対して間隔を空け、かつ他の部材に接触させずに保持する。
【発明の効果】
【００１０】
本開示の液晶表示パネル及び投射型表示装置によれば、光学補償素子を他の部材に接触させず、かつ遮光板との間に間隔を空けて保持している。その結果、光学補償素子に熱や力が外部から伝達されることを防止できるため、熱や力が起因となって光学補償素子に複屈折が生じることを防止し、輝度ムラの発生を防ぐことができる。
【図面の簡単な説明】
【００１１】
【図１】本開示の一実施形態に係る投射型表示装置の光学系を示す説明図である。
【図２】本開示の一実施形態に係る投射型表示装置に設けられた液晶表示ユニットを示す斜視図である。
【図３】本開示の一実施形態に係る投射型表示装置に設けられた液晶表示ユニットを示す分解斜視図である。
【図４】図２に示すＴ−Ｔ線で液晶表示ユニットを断面した断面図である。
【発明を実施するための形態】
【００１２】
以下、本開示の投射型表示装置及び液晶表示ユニットの実施の形態について、図１〜図４を参照して説明する。なお、各図において共通の部材には、同一の符号を付している。また、本開示の投射型表示装置及び液晶表示ユニットは、以下の形態に限定されるものではない。
【００１３】
なお、説明は以下の順序で行うものとする。
１．投射型表示装置の概略構成
２．液晶表示ユニットの構成
３．液晶表示ユニットの組立方法
【００１４】
１．投射型表示装置の概略構成
まず、投射型表示装置の概略構成について、図１を参照して説明する。
図１は、投射型表示装置の光学系を示す説明図である。
【００１５】
図１に示すように、投射型表示装置１は、光Ｌを出射する照明光学系１０と、照明光学系１０から出射された光Ｌを分光する分光光学系２０と、光Ｌを変調する３つの液晶表示ユニット３０Ｒ，３０Ｇ，３０Ｂを備える。
【００１６】
また、投射型表示装置１は、３つの液晶表示ユニット３０Ｒ，３０Ｇ，３０Ｂによって変調されたそれぞれの光Ｌを合成する光合成部８０と、光合成部８０により合成された光Ｌを投射する投射レンズ系８１を備える。さらに、分光光学系２０と、３つの液晶表示ユニット３０Ｒ，３０Ｇ，３０Ｂの間には、それぞれ反射型偏光素子８２Ｒ，８２Ｇ、８２Ｂが設けられている。
【００１７】
［照明光学系］
照明光学系１０は、光源１１と、光源１１から出射された光Ｌを略平行な光にＬ整える凹レンズ１２と、ＵＶカットフィルタ１３と、第１のフライアレイレンズ１４と、第２のフライアレイレンズ１５と、コンデンサーレンズ１６とを備えている。
【００１８】
光源１１には、例えばキセノンランプ、ハロゲンランプ、超高圧水銀ランプ等が用いられる。光源１１の周囲には、光源１１から出射された光Ｌを反射するリフレクタ１７が設けられている。リフレクタ１７によって反射された光Ｌは、凹レンズ１２に出射される。凹レンズ１２を透過した光は、ＵＶカットフィルタ１３に出射されて、このＵＶカットフィルタ１３により紫外線が除去される。
【００１９】
ＵＶカットフィルタ１３を透過した光Ｌは、第１のフライアレイレンズ１４及び第２のフライアレイレンズ１５に入射する。この第１のフライアレイレンズ１４及び第２のフライアレイレンズ１５を光Ｌが透過することにより、光Ｌの輝度ムラが低減される。第１のフライアレイレンズ１４及び第２のフライアレイレンズ１５を透過した光Ｌは、コンデンサーレンズ１６に入射する。コンデンサーレンズ１６に入射された光Ｌは、集光し、分光光学系２０に出射される。
【００２０】
［分光光学系］
分光光学系２０は、第１のダイクロックミラー２１と、２つの反射ミラー２２，２３と、２つの集光レンズ２４，２５と、第２のダイクロックミラー２６とを有している。第１のダイクロックミラー２１は、照明光学系１０から入射された光Ｌを、短波長側の青色光ＬＢと、長波長側の赤色光ＬＲ及び緑色光ＬＧに分光する。
【００２１】
第１のダイクロックミラー２１によって分光した青色光ＬＢは、第１の反射ミラー２２によって反射され、第１の集光レンズ２４に入射する。そして、第１の集光レンズ２４によって集光された青色光ＬＢは、第１の反射型偏光素子８２Ｂを介して第１の液晶表示ユニット３０Ｂに入射する。
【００２２】
また、第１のダイクロックミラー２１によって、分光した赤色光ＬＲ及び緑色光ＬＧは、第２の反射ミラー２３によって反射され、第２の集光レンズ２５に入射する。そして、赤色光ＬＲ及び緑色光ＬＧは、第２の集光レンズ２５によって集光し、第２のダイクロックミラー２６に出射される。
【００２３】
第２のダイクロックミラー２６は、赤色光ＬＲ及び緑色光ＬＧを短波長側の緑色光ＬＧと長波長側の赤色光ＬＲに分光する。分光した赤色光ＬＲは、第２の反射型偏光素子８２Ｒを介して、第２の液晶表示ユニット３０Ｒに入射し、緑色光ＬＧは、第３の反射型偏光素子８２Ｇを介して第３の液晶表示ユニット３０Ｇに入射する。
なお、液晶表示ユニット３０Ｒ，３０Ｇ，３０Ｂの詳細な構成については、後述する。
【００２４】
液晶表示ユニット３０Ｒ，３０Ｇ，３０Ｂに入射した光ＬＲ，ＬＧ，ＬＢは、液晶表示ユニット３０Ｒ，３０Ｇ，３０Ｂに設けられた液晶パネル３１によって、それぞれの画像情報に応じた強度分布を有する像光に変調されて反射される。そして、変調した３つの像光は、反射型偏光素子８２Ｒ，８２Ｇ，８２Ｂによって反射され、光合成部８０に入射する。
【００２５】
［光合成部］
光合成部８０は、例えばダイクロックプリズム等によって構成される。この光合成部８０は、３つの液晶表示ユニット３０Ｒ，３０Ｇ，３０Ｂによって変調した３つの光を同一光路上に合成し、投射レンズ系８１に出射する。そして、合成された光は、投射レンズ系８１によって不図示のスクリーン上に拡大投影される。
【００２６】
２．液晶表示ユニットの構成
次に、図２〜図４を参照して液晶表示ユニット３０Ｒ，３０Ｇ，３０Ｂの詳細な構成について説明する。
図２は、液晶表示ユニットを示す斜視図、図３は、液晶表示ユニットを示す分解斜視図である。図４は、液晶表示ユニットを図２に示すＴ−Ｔ線で断面した断面図である。
【００２７】
なお、３つの液晶表示ユニット３０Ｒ，３０Ｇ，３０Ｂは、液晶パネル３１以外それぞれ同一の構成を有するものであるため、ここでは、第１の液晶表示ユニット３０Ｂについて説明する。
【００２８】
図２及び図３に示すように、第１の液晶表示ユニット３０Ｂは、液晶パネル３１を有するパネルパッケージ３２と、パネルカバー３３と、遮光板３４と、光学補償素子３５と、光学補償素子ホルダ３６を有している。さらに、第１の液晶表示ユニット３０Ｂは、プレ遮光板３７と、プレ遮光板ホルダ３８と、防塵用のパッキン３９を有する。
【００２９】
この第１の液晶表示ユニット３０Ｂは、取り付け部材８４によって第１の反射型偏光素子８２Ｂ（図１参照）が設けられた不図示のフレームに取り付けられる。
【００３０】
［パネルパッケージ］
パネルパッケージ３２は、液晶パネル３１と、この液晶パネル３１が搭載されるベース部材４１と、ヒートシンク４２とを有する。図４に示すように、ベース部材４１の一面４１ａには、凹部４１ｂが形成されている。この凹部４１ｂには、液晶パネル３１が搭載される。また、ベース部材４１における液晶パネル３１が搭載される一面４１ａと反対側の他面には、ヒートシンク４２が設けられている。
【００３１】
図３に示すように、液晶パネル３１には、フレキシブル配線基板４４が接続される。そして、液晶パネル３１は、フレキシブル配線基板４４を介して不図示の制御部から画像信号を受信する。本例の投射型表示装置１に用いられる液晶パネル３１は、反射型の液晶パネルである。この液晶パネル３１は、制御部から入力された映像信号に応じて液晶分子の配列を変化させることで、光を各色光束Ｒ、Ｇ、Ｂに分解して変調し、反射型偏光素子８２Ｒ，８２Ｇ，８２Ｂに反射するものである。
【００３２】
［パネルカバー］
図４に示すように、このパネルパッケージ３２におけるベース部材４１の一面４１ａには、パネルカバー３３が取り付けられる。図３に示すように、パネルカバー３３は、略四角形状の枠体として形成されている。パネルカバー３３には、略四角形状に開口した開口部４６が設けられている。パネルカバー３３における開口部４６の周縁部には、遮光板載置面３３ａが形成されている。
【００３３】
遮光板載置面３３ａは、パネルカバー３３の外周から後述する遮光板３４の厚さ分だけ凹んだ段差面として構成されている。遮光板載置面３３ａには、位置決め用の突起４７と、固定ねじ８５が螺合する固定穴４８が形成されている。そして、図４に示すように、この遮光板載置面３３ａに、遮光板３４が載置される。
【００３４】
［遮光板］
遮光板３４は、略長方形に形成された主面部３４ａと、２つ段差面部３４ｂとを有している。遮光板３４は、例えば略平板状の部材の長手方向の両端を折り曲げることで形成される。
【００３５】
主面部３４ａは、パネルカバー３３の開口部４６の開口面積と略同じ大きさに設定されている。主面部３４ａには、略四角形状に開口した開口窓５１が形成されている。開口窓５１の開口面積は、液晶パネル３１における有効画素領域Ｒ１をほぼ等しいか、あるいは若干大きく設定されている。そして、図４に示すように、遮光板３４は、液晶パネル３１の有効画素領域Ｒ１外の光を規制し、有効光Ｌ１のみを開口窓５１を介して液晶パネル３１側へ通過させる。
また、主面部３４ａの長手方向の両端には、それぞれ段差面部３４ｂが連続して形成されている。
【００３６】
図４に示すように、段差面部３４ｂは、主面部３４ａの長手方向の両端から略直角に２回、折れ曲がった段差面である。そのため、主面部３４ａは、段差面部３４ｂからパネルカバー３３側に凹んだ凹部となる。図３に示すように、段差面部３４ｂには、位置決め用の切り欠き５２と、固定ねじ８５が挿通する挿通孔５３が設けられている。
【００３７】
また、段差面部３４ｂは、パネルカバー３３の遮光板載置面３３ａに載置される。そして、主面部３４ａは、パネルカバー３３の開口部４６に挿入される。このとき、切り欠き５２にパネルカバー３３の遮光板載置面３３ａに設けた突起４７が挿入することで、パネルカバー３３に対する遮光板３４の位置決めが行われる。
図４に示すように、遮光板３４の段差面部３４ｂをパネルカバー３３と挟持するようにして、プレ遮光板ホルダ３８がパネルカバー３３及び遮光板３４の上方に配置される。
【００３８】
［プレ遮光板ホルダ］
図３に示すように、プレ遮光板ホルダ３８は、略四角形状の枠体として構成されている。プレ遮光板ホルダ３８は、略長方形状の載置部３８ａと、載置部３８ａにおける遮光板３４と対向する一面から略四角形状に突出する膨出部３８ｂとを有している（図４参照）。
【００３９】
載置部３８ａにおける膨出部３８ｂと反対側の他面には、位置決め用の凸部５６と、ガイド部５７が形成されている。凸部５６は、載置部３８ａの他面から略垂直に突出している。ガイド部５７は、載置部３８ａにおける短手方向の一側の両端に設けられている。このガイド部５７は、載置部３８ａの角部を略円弧状に切り欠くことで形成される。また、載置部３８ａの外縁部には、固定ねじ８５が挿通する挿通孔５８が設けられている。
【００４０】
図４に示すように、膨出部３８ｂは、遮光板３４における主面部３４ａと２つの段差面部３４ｂで形成される略四角形状の空間に嵌り込む。
【００４１】
また、プレ遮光板ホルダ３８には、載置部３８ａから膨出部３８ｂにかけて連続して開口するプレ開口窓５５が形成されている。プレ開口窓５５は、略四角形状に開口している。また、図４に示すように、載置部３８ａの載置面から膨出部３８ｂの突出側の端面までの長さは、後述する光学補償素子３５の厚さよりも長く設定されている。そのため、プレ開口窓５５の開口の深さは、光学補償素子３５の厚さよりも長くなる。なお、図３に示すように、プレ開口窓５５の壁面には、後述する光学補償素子ホルダ３６を支持する支持部５５ａが設けられている。
【００４２】
遮光板３４をパネルカバー３３とプレ遮光板ホルダ３８で挟持することで、遮光板３４の両面から遮光板３４に蓄積された熱をパネルカバー３３及びプレ遮光板ホルダ３８に放熱することができる。これにより、遮光板３４から後述する光学補償素子３５に伝達される熱を軽減することができる。
【００４３】
さらに、パネルカバー３３及びプレ遮光板ホルダ３８の材質として、例えば、アルミニウム合金等の放熱性の高い材質を用いることで、放熱効果をさらに向上させることが可能となる。なお、パネルカバー３３及びプレ遮光板ホルダ３８の材質として、アルミニウム合金以外にその他各種の金属を用いることができることは勿論のこと、金属以外にもエンジニアリングプラスチック等を用いてもよい。
【００４４】
［光学補償素子］
光学補償素子３５は、略平板状の部材であり、光の位相差や偏光状態を整えるものである。この光学補償素子３５は、光学補償素子ホルダ３６に保持される。
【００４５】
［光学補償素子ホルダ］
光学補償素子ホルダ３６は、薄い平板状の部材を折り曲げることで形成される。光学補償素子ホルダ３６は、光学補償素子３５を保持する保持部６０と、レバー６１と、支持片６２を有している。
【００４６】
保持部６０は、略長方形状の枠体として形成されており、２つの長辺部６０ａと、２つの短辺部６０ｂとを有している。保持部６０は、２つの長辺部６０ａと、２つの短辺部６０ｂによって略長方形状の開口部６０ｄを形成する。長辺部６０ａ及び短辺部６０ｂには、複数の側壁部６０ｃが設けられている。側壁部６０ｃは、長辺部６０ａ及び短辺部６０ｂから略直角に連続して形成される。側壁部６０ｃの高さは、光学補償素子３５の厚さよりも長く、プレ遮光板ホルダ３８のプレ開口窓５５の開口の深さよりも短く設定される。そして、２つの長辺部６０ａ及び２つの短辺部６０ｂには、光学補償素子３５が載置される。
【００４７】
また、この保持部６０における長辺部６０ａの側壁部６０ｃには、レバー６１と、支持片６２が連続して設けられている。レバー６１は、舌片状に形成されており、ガイド突起６１ａが設けられている。レバー６１に設けたガイド突起６１ａは、プレ遮光板ホルダ３８のガイド部５７の側壁に摺動可能に当接する。このレバー６１を操作することで、光学補償素子ホルダ３６を光軸回りに回転させることができる。これにより、光学補償素子ホルダ３６に保持されている光学補償素子３５における液晶パネル３１に対する光軸回りの角度を調整することが可能となる。
【００４８】
支持片６２は、舌片状に形成されている。この支持片６２は、側壁部６０ｃから長辺部６０ａと反対方向に略直角をなして連続している。そして、支持片６２は、プレ遮光板ホルダ３８に設けた支持部５５ａ及び載置部３８ａに載置される。
【００４９】
支持片６２は、長辺部６０ａに対して段曲げ加工が施されているため、光学補償素子３５が載置される面とプレ遮光板ホルダ３８に支持される面は、同一平面上に配置されない。具体的には、光学補償素子３５が載置される面は、プレ遮光板ホルダ３８に支持される面よりも液晶パネル３１側に位置する。
【００５０】
さらに、側壁部６０ｃの高さは、光学補償素子３５の厚さよりも長く設定されているため、側壁部６０ｃから連続する支持片６２は、光学補償素子３５における光源からの光が入射する面よりも、液晶パネル３１から離反した位置に配置される。そのため、支持片６２をプレ遮光板ホルダ３８の支持部５５ａに載置した際に、保持部６０がプレ遮光板ホルダ３８のプレ開口窓５５内に収まる。
【００５１】
また、プレ遮光板ホルダ３８の載置部３８ａには、パッキン３９とプレ遮光板３７が載置される。
【００５２】
［プレ遮光板］
プレ遮光板３７は、略平板状に形成された部材であり、略四角形状に開口したプレ開口部６６を有している。プレ開口部６６の開口面積は、遮光板３４に設けた開口部４６よりも大きく設定される。また、プレ遮光板３７には、プレ遮光板ホルダ３８に設けた凸部５６と嵌合する位置決め用の貫通孔６７と、固定ねじ８５が挿通する挿通孔６８が設けられている。
【００５３】
このプレ遮光板３７によって、投射に寄与しない不要光が遮光される。これにより、不要光が、遮光板３４に照射されないため、遮光板３４の温度が上昇することを抑制することができる。また、プレ遮光板３７とプレ遮光板ホルダ３８の載置部３８ａの間には、パッキン３９が配置される。
【００５４】
［パッキン］
パッキン３９は、平板状のゴム部材によって形成される。パッキン３９には、光学補償素子３５よりも大きく開口した開口部７１が設けられている。そして、図４に示すように、このパッキン３９は、プレ遮光板ホルダ３８に載置した際に、光学補償素子ホルダ３６に保持されている光学補償素子３５に接触することがない。さらに、図３に示すように、パッキン３９には、プレ遮光板ホルダ３８に設けた凸部５６と嵌合する位置決め用の貫通孔７２が設けられている。
【００５５】
図４に示すように、パッキン３９は、プレ遮光板ホルダ３８とプレ遮光板３７の間に介在されることで、遮光板３４とプレ遮光板３７及びプレ遮光板ホルダ３８のプレ開口窓５５で形成される空間を密封する。これにより、外部からプレ遮光板３７と遮光板３４で形成される空間内に埃や塵等が侵入することを防ぐことができる。さらに、パッキン３９が光学補償素子３５に接触していないため、パッキン３９を強固に固定しても、固定の際に生じる力が光学補償素子３５で伝わることがない。
【００５６】
３．液晶表示ユニットの組立方法
次に、上述した構成を有する液晶表示ユニット３０Ｒ，３０Ｇ，３０Ｂの組立方法について説明する。
なお、３つの液晶表示ユニット３０Ｒ，３０Ｇ，３０Ｂの組立方法は、それぞれ同一の方法であるため、ここでは、第１の液晶表示ユニット３０Ｂについて説明する。
【００５７】
まず、予め液晶パネル３１が搭載されたベース部材４１の一面４１ａにパネルカバー３３を例えば、接着剤を用いた接着等の固定方法で固定する。次に、パネルカバー３３の遮光板載置面３３ａに、遮光板３４の段差面部３４ｂを載置する。この際に、遮光板３４の切り欠き５２に、遮光板載置面３３ａに設けた突起４７を挿入させることで、パネルカバー３３に対する遮光板３４の位置決めを行うことができる。
【００５８】
また、遮光板３４は、段曲げ構造となっており、主面部３４ａが段差面部３４ｂからパネルカバー３３側に凹んだ形状となっている。そのため、段差面部３４ｂを遮光板載置面３３ａに載置した際に、主面部３４ａは、パネルカバー３３の開口部４６内に配置される。
【００５９】
次に、遮光板３４における主面部３４ａと２つの段差面部３４ｂで形成される空間内に、プレ遮光板ホルダ３８の膨出部３８ｂを挿入し、プレ遮光板ホルダ３８を遮光板３４に載置する。このとき、遮光板３４の段差面部３４ｂは、パネルカバー３３の遮光板載置面３３ａとプレ遮光板ホルダ３８の載置部３８ａに挟持される。これにより、遮光板３４の熱をパネルカバー３３及びプレ遮光板ホルダ３８に放熱することができる。
【００６０】
次に、プレ遮光板ホルダ３８に予め光学補償素子３５を保持する光学補償素子ホルダ３６を載置する。具体的には、光学補償素子ホルダ３６の支持片６２をプレ遮光板ホルダ３８のプレ開口窓５５に設けた支持部５５ａに載置する。このとき、光学補償素子ホルダ３６の保持部６０に保持された光学補償素子３５は、プレ遮光板ホルダ３８のプレ開口窓５５内に配置される。
【００６１】
次に、プレ遮光板ホルダ３８の載置部３８ａの凸部５６に、パッキン３９の貫通孔７２とプレ遮光板３７の貫通孔６７を嵌合させて、プレ遮光板ホルダ３８の載置部３８ａにパッキン３９、プレ遮光板３７の順に載置する。次に、固定ねじ８３をプレ遮光板３７、プレ遮光板ホルダ３８及び遮光板３４の挿通孔５３，５８，６８を挿通させ、パネルカバー３３の固定穴４８に螺合させる。これにより、液晶表示ユニット３０Ｂの組み立てが完了する。
【００６２】
ここで、光学補償素子ホルダ３６の支持片６２と光学補償素子３５が載置される保持部６０は、段曲げ構造となっており、光学補償素子３５が載置される面は、プレ遮光板ホルダ３８に支持される面よりも液晶パネル３１側に位置する。よって、図４に示すように、光学補償素子３５とパッキン３９及びプレ遮光板３７の間には、空気層からなる隙間Ｓ１が形成される。
【００６３】
また、遮光板３４の主面部３４ａと段差面部３４ｂも段曲げ構造となっており、主面部３４ａは、段差面部３４ｂよりも液晶パネル３１側に配置されている。そして、光学補償素子ホルダ３６の側壁部６０ｃの高さは、プレ遮光板ホルダ３８のプレ開口窓５５の開口深さよりも短く設定されている。そのため、光学補償素子３５が載置される面と、遮光板３４の間には、空気層からなる隙間Ｓ２が形成される。
【００６４】
さらに、プレ遮光板ホルダ３８のプレ開口窓５５は、光学補償素子ホルダ３６の保持部６０よりも十分に大きく開口している。そのため、プレ開口窓５５の側壁と保持部６０の側壁部６０ｃの間には隙間Ｓ３が形成される。
【００６５】
よって、光学補償素子３５は、光学補償素子ホルダ３６の保持部６０以外の部材と接触していない。すなわち、遮光板３４とプレ遮光板３７及びプレ遮光板ホルダ３８のプレ開口窓５５で形成される空間内に、光学補償素子ホルダ３６によって、光学補償素子３５は、宙吊り状態で保持される。
【００６６】
これにより、遮光板３４やプレ遮光板３７からの熱が光学補償素子３５に伝達することを防ぐことがきるだけでなく、パッキン３９や他の部材を固定する際に生じる力が光学補償素子３５に伝わることがない。その結果、外部からの熱や力によって光学補償素子３５に反りや歪みが生じることを抑制し、輝度ムラが生じることを防ぐことができると共に投影される画像のコントラストを向上させることができる。
【００６７】
なお、光学補償素子ホルダ３６の支持片６２は、パッキン３９に接触しているが、プレ遮光板ホルダ３８にも接触している。よって、パッキン３９及びプレ遮光板３７からの熱は、プレ遮光板ホルダ３８に放熱されるため、光学補償素子３５に熱が伝わることを防ぐことができる。
【００６８】
また、光学補償素子ホルダ３６を支持する支持片６２を舌片状に形成し、パッキン３９やプレ遮光板ホルダ３８との接触面積を小さくしている。そのため、外部から熱や力が光学補償素子ホルダ３６に伝わり難くなる。
【００６９】
なお、本実施の形態では、遮光板３４及び光学補償素子ホルダ３６を段曲げ構造としたが、これに限定されるものではない。光学補償素子３５を光学補償素子ホルダ３６の保持部６０以外の部材と接触せずに、かつ遮光板３４とプレ遮光板３７で形成される空間内において宙吊り状態で保持することができれば、その他の形状にしてもよい。
【００７０】
なお、本開示は以下のような構成も取ることができる。
（１）
光を変調する液晶パネルと、
前記液晶パネルの有効画素領域外に光が入射しないように規制する遮光板と、
前記液晶パネル及び前記遮光板における前記光の入射側に配置される光学補償素子と、
前記光学補償素子を前記遮光板に対して間隔を空け、かつ他の部材に接触させずに保持する光学補償素子ホルダと、
を備える液晶表示ユニット。
（２）
前記遮光板は、開口窓を有する主面部と、前記主面部よりも前記液晶パネルから離反した位置に配置されて前記主面部を支持する段差面部とを有し、
前記光学補償素子ホルダは、前記光学補償素子を保持する保持部と、前記主面部よりも前記液晶パネルから離反した位置に配置されて前記保持部を支持する支持片と、を有する
前記（１）に記載の液晶表示ユニット。
（３）
前記光学補償素子における前記光の入射側にプレ遮光板を設け、
前記光学補償素子ホルダは、前記プレ遮光板と前記遮光板によって形成される空間内に前記光学補償素子を宙吊り状態で保持する
前記（１）又は（２）に記載の液晶表示ユニット。
（４）
前記液晶パネルの周囲に配置されて、前記遮光板を支持するパネルカバーと、
前記プレ遮光板を支持するプレ遮光板ホルダと、を設け、
前記遮光板は、前記パネルカバーと前記プレ遮光板に挟持される
前記（３）に記載の液晶表示ユニット。
（５）
前記プレ遮光板ホルダには、前記光学補償素子を保持した前記光学補償素子ホルダが隙間を空けて収まるプレ開口部が設けられている
前記（４）に記載の液晶表示ユニット。
（６）
前記光学補償素子よりも大きく開口した開口部を有するパッキンを前記プレ遮光板と前記プレ遮光板ホルダとの間に設けた
前記（４）または（５）に記載の液晶表示ユニット。
（７）
前記光学補償素子ホルダは、前記光学補償素子を光軸回りに回転させるレバーを有する
前記（１）から（６）のいずれかに記載の液晶表示ユニット。
（８）
光を出射する光源と、
前記光源から出射された前記光を変調する液晶表示ユニットと、を備え、
前記液晶表示ユニットは、
前記光を変調する液晶パネルと、
前記液晶パネルの有効画素領域外に前記光が入射しないように規制する遮光板と、
前記液晶パネル及び前記遮光板における前記光の入射側に配置される光学補償素子と、
前記光学補償素子を前記遮光板に対して間隔を空け、かつ他の部材に接触させずに保持する光学補償素子ホルダと、
を備える投射型表示装置。
【００７１】
以上、本開示の液晶表示ユニット及び投射型表示装置の実施の形態例について、その作用効果も含めて説明した。しかしながら、本開示の液晶表示ユニット及び投射型表示装置は、上述の実施の形態例に限定されるものではなく、特許請求の範囲に記載した発明の要旨を逸脱しない範囲内で種々の変形実施が可能である。
【００７２】
上述した投射型表示装置では、３つの液晶表示ユニットを設け、光をＲ，Ｇ，Ｂに分光した例を説明したが、これに限定されるものではない。例えば、液晶表示ユニットを１つだけ設け、光をＲ，Ｇ，Ｂに分光しない投射型表示装置にも適用できるものである。
【００７３】
さらに、本技術は、透過型の液晶パネルを有する液晶表示ユニットにも適用できるものである。
【符号の説明】
【００７４】
１…投射型表示装置、  １０…照明光学系、  １１…光源、  ２０…分光光学系、  ３０Ｒ，３０Ｇ，３０Ｂ…液晶表示ユニット、  ３１…液晶パネル、  ３２…パネルパッケージ、  ３３…パネルカバー、  ３３ａ…遮光板載置面、  ３４…遮光板、  ３４ａ…主面部、  ３３ｂ…段差面部、  ３５…光学補償素子、  ３６…光学補償素子ホルダ、  ３７…プレ遮光板、  ３８…プレ遮光板ホルダ、  ３８ａ…載置部、  ３８ｂ…膨出部、  ３９…パッキン、  ４１…ベース部材、  ４２…ヒートシンク、  ４４…フレシキブル配線基板、  ５１…開口窓、  ５５…プレ開口窓、  ５７…ガイド部、  ６０…保持部、  ６０ａ…長辺部、  ６０ｂ…短辺部、  ６０ｃ…側壁部、  ６０ｄ…開口部、  ６１…レバー、  ６１ａ…ガイド突起、  ６２…支持片、  ６６…プレ開口部、  ８０…光合成部、  ８１…投射レンズ系、  ８２Ｒ，８２Ｇ、８２Ｂ…反射型偏光素子、  Ｌ１…有効光、  Ｒ１…有効画素領域、  Ｓ１，Ｓ２，Ｓ３…隙間、  Ｌ…光、  ＬＢ…青色光、  ＬＲ…赤色光、  ＬＧ…緑色光
【図１】
2013054145.tif 000003
【図２】
2013054145.tif 000004
【図３】
2013054145.tif 000005
【図４】
2013054145.tif 000006